(57)【要約】【課題】エンクロージャーに対するスピーカーユニット以外の機能部品の取付構造を簡便化することを可能としたスピーカー装置を提供する。【解決手段】電気信号を振動に変換して音響を発するスピーカーユニット２と、スピーカーユニット２の背面側を覆うエンクロージャー３とを備え、エンクロージャー３は、両端が開口した外筐体８及び内筐体９を有し、外筐体８と内筐体９との間に真空層１１が設けられた真空二重構造を有し、エンクロージャー３の一端側には、スピーカーユニット２が取り付けられ、エンクロージャー３の他端側には、スピーカーユニット２以外の機能部品４が取り付けられている。【選択図】図４
2019009737.tif 000002
【特許請求の範囲】
【請求項１】
電気信号を振動に変換して音響を発するスピーカーユニットと、
前記スピーカーユニットの背面側を覆うエンクロージャーとを備え、
前記エンクロージャーは、両端が開口した外筐体及び内筐体を有し、前記外筐体と前記内筐体との間に真空層が設けられた真空二重構造を有し、
前記エンクロージャーの一端側には、前記スピーカーユニットが取り付けられ、  
前記エンクロージャーの他端側には、前記スピーカーユニット以外の機能部品が取り付けられていることを特徴とするスピーカー装置。
【請求項２】
前記エンクロージャーは、前記他端側の前記外筐体と前記内筐体との間を閉塞する中間筐体を有し、
前記機能部品は、前記中間筐体に取り付けられていることを特徴とする請求項１に記載のスピーカー装置。
【請求項３】
前記機能部品は、前記中間筐体に取り付けられた固定部材を介して固定されていることを特徴とする請求項２に記載のスピーカー装置。
【請求項４】
前記内筐体は、前記一端側の内周面から全周に亘って突出された張出部を有し、
前記スピーカーユニットは、前記エンクロージャーの一端側から内側に嵌め込まれた状態で、前記張出部に接触するシール部材を介して前記エンクロージャーに取り付けられていることを特徴とする請求項１〜３の何れか一項に記載のスピーカー装置。
【請求項５】
前記シール部材は、前記張出部に全周に亘って密着した状態で、前記スピーカーユニットと前記エンクロージャーとの間を密閉していることを特徴とする請求項４に記載のスピーカー装置。
【請求項６】
前記エンクロージャーは、前記一端側の前記外筐体と前記内筐体との間を閉塞する中間筐体を有し、
前記スピーカーユニットは、前記中間筐体に取り付けられていることを特徴とする請求項１に記載のスピーカー装置。
【請求項７】
前記スピーカーユニットは、前記中間筐体に取り付けられた固定部材を介して固定されていることを特徴とする請求項６に記載のスピーカー装置。
【請求項８】
前記エンクロージャーは、前記中間筐体に取り付けられたブラケットを介して壁面の取り付けられることを特徴とする請求項２又は６に記載のスピーカー装置。
【発明の詳細な説明】
【技術分野】
【０００１】
本発明は、スピーカー装置に関する。
【背景技術】
【０００２】
一般に、スピーカー装置は、電気信号を振動に変換して音響を発するスピーカーユニットと、スピーカーユニットの背面側を覆うエンクロージャーとを備えている。スピーカー装置では、スピーカーユニットの前面側から放出される音響の振動と、スピーカーユニットの背面側から放出される音響の振動とが逆位相となるため、これらの振動が干渉し合うと、互いに音響を打ち消し合うことになる。これは低音域になるほど顕著である。このため、スピーカー装置では、スピーカーユニットの背面側をエンクロージャーで覆うことによって、スピーカーユニットの背面側から放出される音響を遮断することが行われている。
【０００３】
しかしながら、スピーカー装置では、スピーカーユニットの背面側からエンクロージャー内に放出される音響によってエンクロージャーが振動（場合によっては共振）し、エンクロージャーから不要な振動が外部へと伝播する。このエンクロージャーを介して外部に伝播する振動を抑制するためには、エンクロージャーを構成する壁の厚みを大きくしたり、エンクロージャーの剛性を高めたりする必要がある。この場合、エンクロージャーの重量が著しく増大することになる。
【０００４】
そこで、真空二重構造を有するエンクロージャーによって外部に伝播する振動を抑制したスピーカー装置が提案されている（特許文献１，２を参照。）。具体的に、真空二重構造を有するエンクロージャーは、一端が開口した有底筒状の外筐体及び内筐体を有し、外筐体の内側に内筐体を収容した状態で互いの開口端が接合されると共に、これら外筐体と内筐体との間に高真空に減圧された真空層を有している。スピーカーユニットは、その背面側をエンクロージャーの内側に向けた状態で、エンクロージャーの開口端を閉塞するように取り付けられている。
【０００５】
このようなスピーカー装置によれば、スピーカーユニットの背面側から放出される音響によってエンクロージャーの内筐体が振動しても、真空層によって内筐体から外筐体への振動の伝播が阻止される。これにより、エンクロージャーを介して外部に伝播する振動を抑制することができる。さらに、このエンクロージャーの小型化及び軽量化を図ることも可能である。
【先行技術文献】
【特許文献】
【０００６】
【特許文献１】実開昭６３−１５６９１号公報
【特許文献２】特開２００３−９２７９１号公報
【発明の概要】
【発明が解決しようとする課題】
【０００７】
ところで、上述したスピーカー装置では、スピーカーユニット以外の機能部品をエンクロージャーに取り付ける場合、このエンクロージャーに対する機能部品の取付構造が複雑化してしまうといった問題があった。
【０００８】
本発明は、このような従来の事情に鑑みて提案されたものであり、真空二重構造を有するエンクロージャーを採用した場合に、このエンクロージャーに対するスピーカーユニット以外の機能部品の取付構造を簡便化することを可能としたスピーカー装置を提供することを目的とする。
【課題を解決するための手段】
【０００９】
上記目的を達成するために、本発明は以下の手段を提供する。
〔１〕  電気信号を振動に変換して音響を発するスピーカーユニットと、
前記スピーカーユニットの背面側を覆うエンクロージャーとを備え、
前記エンクロージャーは、両端が開口した外筐体及び内筐体を有し、前記外筐体と前記内筐体との間に真空層が設けられた真空二重構造を有し、
前記エンクロージャーの一端側には、前記スピーカーユニットが取り付けられ、
前記エンクロージャーの他端側には、前記スピーカーユニット以外の機能部品が取り付けられていることを特徴とするスピーカー装置。
〔２〕  前記エンクロージャーは、前記他端側の前記外筐体と前記内筐体との間を閉塞する中間筐体を有し、
前記機能部品は、前記中間筐体に取り付けられていることを特徴とする前記〔１〕に記載のスピーカー装置。
〔３〕  前記機能部品は、前記中間筐体に取り付けられた固定部材を介して固定されていることを特徴とする前記〔２〕に記載のスピーカー装置。
〔４〕  前記内筐体は、前記一端側の内周面から全周に亘って突出された張出部を有し、
前記スピーカーユニットは、前記エンクロージャーの一端側から内側に嵌め込まれた状態で、前記張出部に接触するシール部材を介して前記エンクロージャーに取り付けられていることを特徴とする前記〔１〕〜〔３〕の何れか一項に記載のスピーカー装置。
〔５〕  前記シール部材は、前記張出部に全周に亘って密着した状態で、前記スピーカーユニットと前記エンクロージャーとの間を密閉していることを特徴とする前記〔４〕に記載のスピーカー装置。
〔６〕  前記エンクロージャーは、前記一端側の前記外筐体と前記内筐体との間を閉塞する中間筐体を有し、
前記スピーカーユニットは、前記中間筐体に取り付けられていることを特徴とする前記〔１〕に記載のスピーカー装置。
〔７〕  前記スピーカーユニットは、前記中間筐体に取り付けられた固定部材を介して固定されていることを特徴とする前記〔６〕に記載のスピーカー装置。
〔８〕  前記エンクロージャーは、前記中間筐体に取り付けられたブラケットを介して壁面の取り付けられることを特徴とする前記〔２〕又は〔６〕に記載のスピーカー装置。
【発明の効果】
【００１０】
以上のように、本発明によれば、真空二重構造を有するエンクロージャーを採用した場合に、このエンクロージャーに対するスピーカーユニット以外の機能部品の取付構造を簡便化することを可能としたスピーカー装置を提供することが可能である。
【図面の簡単な説明】
【００１１】
【図１】本発明の第１の実施形態に係るスピーカー装置のエンクロージャーが台座部に対して接した状態を示す斜視図である。
【図２】図１に示すスピーカー装置のエンクロージャーが台座部に対して傾斜した状態を示す斜視図である。
【図３】図１に示すスピーカー装置の構成を示す背面図である。
【図４】図１に示すスピーカー装置のエンクロージャーにスピーカーユニット及びバスレフポートが取り付けられた状態を示す断面図である。
【図５】図１に示すスピーカー装置のエンクロージャー、スピーカーユニット及びバスレフポートの構成を示す分解斜視図である。
【図６】図１に示すスピーカー装置のエンクロージャーの構成を示す断面図である。
【図７】図１に示すスピーカー装置のエンクロージャーの構成を示す分解斜視図である。
【図８】図１に示すスピーカー装置のエンクロージャーの構成を示す背面図である。
【図９】図１に示すスピーカー装置のスピーカーユニットの構成を示す分解斜視図である。
【図１０】本発明の第２の実施形態に係るスピーカー装置のエンクロージャーにスピーカーユニット及びパッシブラジエターが取り付けられた状態を示す断面図である。
【図１１】本発明の第３の実施形態に係るスピーカー装置のエンクロージャーにスピーカーユニット及びツイーターが取り付けられた状態を示す断面図である。
【図１２】本発明の第４の実施形態に係るスピーカー装置のエンクロージャーにスピーカーユニット及び配線取付部材が取り付けられた状態を示す断面図である。
【図１３】本発明の第５の実施形態に係るスピーカー装置のエンクロージャーがブラケットを介して壁面に取り付けられた状態を示す断面図である。
【図１４】本発明の第６の実施形態に係るスピーカー装置のエンクロージャーがブラケットを介して壁面に取り付けられた状態を示す断面図である。
【発明を実施するための形態】
【００１２】
以下、本発明の実施形態について、図面を参照して詳細に説明する。
（第１の実施形態）
先ず、本発明の第１の実施形態として、例えば図１〜図９に示すスピーカー装置１について説明する。なお、図１は、スピーカー装置１のエンクロージャー３が台座部６に対して接した状態を示す斜視図である。図２は、スピーカー装置１のエンクロージャー３が台座部６に対して傾斜した状態を示す斜視図である。図３は、スピーカー装置１の構成を示す背面図である。図４は、スピーカー装置１のエンクロージャー３にスピーカーユニット２及びバスレフポート４が取り付けられた状態を示す断面図である。図５は、スピーカー装置１のエンクロージャー３、スピーカーユニット２及びバスレフポート４の構成を示す分解斜視図である。図６は、スピーカー装置１のエンクロージャー３の構成を示す断面図である。図７は、スピーカー装置１のエンクロージャー３の構成を示す分解斜視図である。図８は、スピーカー装置１のエンクロージャー３の構成を示す背面図である。図９は、スピーカー装置１のスピーカーユニット２の構成を示す分解斜視図である。
【００１３】
本実施形態のスピーカー装置１は、ハイレゾ音源（例えば５．６ＭＨｚＤＳＤや１９２ｋＨｚＷＡＶ／ＦＬＡＣなど。）に対応したデジタル機器で再生された音楽等を聴くことができる小型の卓上型スピーカー装置である。
【００１４】
なお、本実施形態のスピーカー装置１は、上述したハイレゾ音源に限らず、従来より一般に使用されているファイルフォーマットの音源にも対応可能である。また、本実施形態のスピーカー装置１は、例えばＵＳＢケーブルなどの接続ケーブルを介してデジタル機器と接続される場合に限らず、例えばＢｌｕｅｔｏｏｔｈ（登録商標）などの近距離無線規格に準じた無線通信に対応させることによって、パソコンやスマートフォンなどのデジタル機器とワイヤレスで接続することも可能である。
【００１５】
具体的に、このスピーカー装置１は、図１〜図５に示すように、電気信号を振動に変換して音響を発するスピーカーユニット２と、スピーカーユニット２の背面側を覆うエンクロージャー３と、エンクロージャー３の一部を開放するバスレフポート４と、ヒンジ部５を介してエンクロージャー３を回動自在に支持する台座部６とを備えている。
【００１６】
スピーカーユニット２は、図１、図２、図４、図５及び図９に示すように、その構成について特に限定されるものではなく、一般的なスピーカーユニットを用いることができる。一般に、スピーカーユニット２は、磁気回路と、磁気回路の磁気ギャップ中で移動自在とされたボイスコイルと、ボイスコイルに取り付けられた振動板と、磁気回路及び振動板を支持するフレームとを含むスピーカー本体２ａを有して、ボイスコイルに電気信号を供給し、この電気信号に応じて振動板を振動させることによって、音響を発することが可能となっている。
【００１７】
スピーカーユニット２は、その前面にスピーカー本体２ａが発する音響を放出する放音部２ｂを有し、この放音部２ｂにネット７が着脱自在に取り付けられた構成となっている。したがって、放音部２ｂでは、ネット７を取り外して、スピーカー本体２ａの前面が露出した状態とすることも可能である。
【００１８】
エンクロージャー３は、図１〜図８に示すように、両端が開口した真空二重構造体３Ａからなる。真空二重構造体３Ａは、外筐体８と、内筐体９と、中間筐体１０とを有している。外筐体８、内筐体９及び中間筐体１０には、例えばステンレス鋼などの金属を用いることができる。また、外筐体８、内筐体９及び中間筐体１０については、真空二重構造体３Ａが得られる材質のものあればよく、それ以外の金属等を用いることも可能である。また、エンクロージャー３の外周面には、塗装や印刷等が施されていてもよい。
【００１９】
真空二重構造体３Ａでは、両端が開口した外筐体８の内側に内筐体９が収容された状態で、外筐体８及び内筐体９の一方の開口端側（本実施形態ではエンクロージャー３の前面側）において、外筐体８と内筐体９とが接合されている。一方、真空二重構造体３Ａでは、外筐体８及び内筐体９の他方の開口端側（本実施形態ではエンクロージャー３の背面側）において、外筐体８及び内筐体９と中間筐体１０とが接合されている。
【００２０】
外筐体８と内筐体９との間には、真空層１１が設けられている。真空層１１は、例えば、高真空に減圧（真空引き）されたチャンバー内で、中間筐体１０に設けられた脱気孔１２を封止材（図示せず。）により封止することによって形成することができる。
【００２１】
真空二重構造体３Ａは、一方の開口端側において、外筐体８と内筐体９とが溶接により接合された第１の接合端部１３と、他方の開口端側において、外筐体８と中間筐体１０とが溶接により接合された第２の接合端部１４、及び、内筐体９と中間筐体１０とが溶接により接合された第３の接合端部１５とを有している。
【００２２】
具体的に、この真空二重構造体３Ａでは、外筐体８の第１の接合端部１３を形成する周壁８ａと、内筐体９の第１の接合端部１３を形成する周壁９ａとが径方向に重なるように配置されて、互いの周壁８ａ，９ａの先端が溶接により接合されている。
【００２３】
また、真空二重構造体３Ａでは、外筐体８の第２の接合端部１４を形成する周壁８ｂと、中間筐体１０の第２の接合端部１４を形成する周壁１０ａとが径方向に重なるように配置されて、互いの周壁８ｂ，１０ａの先端が溶接により接合されている。
【００２４】
さらに、真空二重構造体３Ａでは、内筐体９の第３の接合端部１５を形成する周壁９ｂと、中間筐体１０の第３の接合端部１５を形成する周壁１０ｂとが径方向に重なるように配置されて、互いの周壁９ｂ，１０ｂの先端が溶接により接合されている。
【００２５】
真空二重構造体３Ａは、真空層１１を挟んで外筐体８と内筐体９とが径方向において対向するラジアルギャップ部１６を有している。ラジアルギャップ部１６は、第１の接合端部１３と第２の接合端部１４及び第３の接合端部１５との間で軸線方向に延長して設けられている。
【００２６】
真空二重構造体３Ａでは、第１の接合端部１３により円形状に形成された一端（前面）側の開口部３ａの径が、第３の接合端部１５により円形状に形成された他端（背面）側の開口部３ｂの径よりも大きくなっている。
【００２７】
このため、外筐体８は、第１の接合端部１３と第２の接合端部１４との間に亘って同一径で円筒状に形成されている。一方、内筐体９は、外筐体８よりも小径とされ、同一径で円筒状に形成された中央部分から、第１の接合端部１３側で拡径されると共に、第３の接合端部１５側で縮径されるように形成されている。中間筐体１０は、第２の接合端部１４と第３の接合端部１５との間に、外筐体８と内筐体９との間を閉塞する底壁部１０ｃを有している。
【００２８】
スピーカーユニット２は、その背面側をエンクロージャー３の内側に向けた状態で、エンクロージャー３の一端側の開口部３ａから内側に嵌め込まれた状態で、エンクロージャー３に取り付けられている。
【００２９】
具体的に、このスピーカーユニット２は、図４、図５及び図９に示すように、スピーカー本体２ａの外周部を保持するリング状の保持部材１７と、保持部材１７の背面側の外周部に取り付けられたリング状の第１のシール部材１８と、スピーカー本体２ａの前面側の外周部に取り付けられたリング状の第２のシール部材１９と、第２のシール部材をスピーカー本体２ａの前面側に取り付けるためのリング状の押さえ部材２０とを有している。
【００３０】
保持部材１７は、スピーカー本体２ａの外周部にネジ止めにより取り付けられている。具体的に、この保持部材１７の外周部には、複数（本実施形態では４つ）の孔部１７ａが周方向に並んで設けられている。一方、スピーカー本体２ａの外周部には、これら複数の孔部１７ａに対応した複数（本実施形態では４つ）のネジ孔２ｃが周方向に並んで設けられている。保持部材１７は、複数の孔部１７ａを通して複数のネジ孔２ｃにビス（図示せず。）を螺合することによって、スピーカー本体２ａの外周部に取り付けられている。
【００３１】
また、保持部材１７の外周面には、雄ネジ部２１が設けられている。一方、内筐体９（エンクロージャー３）の内周面には、雄ネジ部２１が螺合される雌ネジ部２２が設けられている。これにより、スピーカーユニット２は、エンクロージャー３の一端側の開口部３ａから内側に嵌め込まれた状態で、エンクロージャー３に対して螺合により取り付けられている。
【００３２】
第１のシール部材１８は、例えばシリコーンゴム等の耐熱性を有するゴムやエラストマーなどの弾性部材からなる。第１のシール部材１８は、保持部材１７の背面側の外周面に設けられた嵌合凹部１７ｂに嵌合されることによって、保持部材１７に取り付けられている。一方、内筐体９には、リング状の張出部２３が一端（前面）側の内周面から全周に亘って突出して設けられている。第１のシール部材１８は、上述したエンクロージャー３の内側にスピーカーユニット２が取り付けられた際に、張出部２３に全周に亘って密着した状態となる。これにより、スピーカーユニット２とエンクロージャー３との間を密閉することが可能となっている。
【００３３】
第２のシール部材１９は、例えばシリコーンゴム等の耐熱性を有するゴムやエラストマーなどの弾性部材からなる。第２のシール部材１９は、押さえ部材２０によりスピーカー本体２ａの前面側の外周部に押し付けられた状態で取り付けられている。
【００３４】
押さえ部材２０の外周部には、背面側に向かって突出された複数（本実施形態では４つ）のアーム部２０ａが周方向に並んで設けられている。また、各アーム部２０ａには、孔部２０ｂが設けられている。一方、スピーカー本体２ａの外周部には、これら複数の孔部２０ｂに対応した複数（本実施形態では４つ）のネジ孔２ｄが周方向に並んで設けられている。押さえ部材２０は、第２のシール部材１９の内側に嵌め込まれた状態で、複数の孔部２０ｂを通して複数のネジ孔２ｄにビス（図示せず。）を螺合することによって、第２のシール部材１９を挟んでスピーカー本体２ａの外周部に取り付けられている。
【００３５】
また、第２のシール部材１９は、上述したエンクロージャー３の内側にスピーカーユニット２が取り付けられた際に、第１の接合端部１３が嵌合される溝部１９ａを有している。これにより、スピーカーユニット２とエンクロージャー３との間を密閉することが可能となっている。
【００３６】
バスレフポート４は、エンクロージャーの他端（後端）側から内側に向かって延長されたポート部４ａを有している。バスレフポート４は、エンクロージャー３の他端（後端）側から内側にポート部４ａが嵌め込まれた状態で、エンクロージャー３の中間筐体１０に取り付けられている。ポート部４ａは、エンクロージャー３の中心軸よりも上方側に僅かにオフセットした状態で配置されている。
【００３７】
具体的に、このバスレフポート４は、図４〜図８に示すように、中間筐体１０の底壁部１０ｃに取り付けられたリング状の固定部材２４にネジ止めにより固定されている。固定部材２４は、中間筐体１０の底壁部１０ｃに溶接により取り付けられている。固定部材２４には、複数（本実施形態では４つ）のネジ孔２４ａが周方向に並んで設けられている。
【００３８】
バスレフポート４は、エンクロージャー３の他端側の開口部３ｂを閉塞する栓部４ｂを有している。栓部４ｂは、ポート部４ａの基端（後端）側の周囲を囲むように設けられている。栓部４ｂには、複数のネジ孔２４ａに対応した複数（本実施形態では４つ）の孔部４ｃが周方向に並んで設けられている。これにより、バスレフポート４は、複数の孔部４ｃを通して複数のネジ孔２４ａにビス２５を螺合することによって、固定部材２４に固定されている。
【００３９】
また、栓部４ｂには、スピーカーユニット２のアナログ入力端子２６が設けられている。また、エンクロージャー３の内側には、図示を省略するものの、スピーカーユニット２とアナログ入力端子２６とを接続する配線コードが引き回されている。さらに、配線コードには、クッション材が巻き付けられている。
【００４０】
ヒンジ部５は、図１〜図５に示すように、エンクロージャー３側に取り付けられた一方の半リング部材５ａと、台座部６側に取り付けられた他方の半リング部材５ｂとの互いの両端が左右一対の軸受部５ｃを介して連結された構造を有している。
【００４１】
一方の半リング部材５ａは、エンクロージャー３の後端に位置して、固定部材２４にネジ止めにより固定されている。他方の半リング部材５ｂは、台座部６の後端の上部にネジ止めにより固定されている。軸受部５ｃは、一方の半リング部材５ａと他方の半リング部材５ｂとの間を段階的又は連続的（本実施形態では段階的）に軸回りの角度を調整可能に支持している。
【００４２】
これにより、本実施形態のスピーカー装置１では、図１に示す台座部６に対してエンクロージャー３が凹部６ａに接した状態で支持される位置と、図２に示す台座部６に対してエンクロージャー３が凹部６ａから離間して傾斜した状態で支持される位置との間で、エンクロージャー３の傾斜する角度が調整自在とされている。
【００４３】
台座部６は、図１〜図３に示すように、例えばマグネシウム合金などの電磁波遮蔽性に優れた筐体により形成されている。また、台座部６の上面には、エンクロージャー３の外周面に対応して湾曲した曲面からなる凹部６ａが設けられている。
【００４４】
台座部６の内部には、電源回路基板と、ＤＡＣなどのデジタルアンプ、重しなどが配置されている。台座部６の前面には、電源のＯＮ／ＯＦＦを切り替える電源スイッチ２７や、電源のＯＮ／ＯＦＦを表示する電源ランプ２８と、音量を調整するボリュームスイッチ２９が設けられている。
【００４５】
一方、台座部６の背面には、アナログ出力端子３０やＡＣ入力端子３１、外部入力端子３２が設けられている。スピーカー装置１では、アナログ出力端子３０とアナログ入力端子２６との間がスピーカーコード（図示せず。）に接続されている。また、ＡＣ入力端子３１にＡＣアダプタ（図示せず。）を接続することによって、外部からの電力供給が可能となっている。さらに、外部入力端子３２を介して外部機器と接続することが可能となっている。
【００４６】
以上のような構成を有する本実施形態のスピーカー装置１では、スピーカーユニット２の背面側から放出される低音の位相を反転させて、バスレフポート４からエンクロージャー３の外部へと放出することによって、低音再生を強化することが可能である。
【００４７】
一方、本実施形態のスピーカー装置１では、スピーカーユニット２の背面側から放出される音響によってエンクロージャー３の内筐体９が振動しても、真空層１１によって内筐体９から外筐体８への振動の伝播が阻止される。これにより、エンクロージャー３を介して外部に伝播する不要な振動を抑制することが可能である。
【００４８】
また、本実施形態のスピーカー装置１では、本実施形態の真空二重構造体３Ａからなるエンクロージャー３を用いることによって、このエンクロージャー３の小型化及び軽量化を図ることが可能である。
【００４９】
すなわち、本実施形態の真空二重構造体３Ａでは、外筐体８に脱気孔を設けることなく、外筐体８と内筐体９との間に周方向の厚みが均一となる真空層１１を設けることが可能である。これにより、内圧（真空圧）と外圧（大気圧）の差により外筐体２及び内筐体３に対して常に張力が加わった状態となり、これら外筐体２及び内筐体３の機械的強度が増すことになる。したがって、この真空二重構造体３Ａの剛性を高めつつ、エンクロージャー３の小型化及び軽量化を図ることが可能である。
【００５０】
また、本実施形態のスピーカー装置１では、エンクロージャー３の中間筐体１０にバスレフポート４を簡便に取り付けることができ、この中間筐体１０に取り付けられた固定部材２４を介してバスレフポート４を適切に固定することが可能である。
【００５１】
なお、本発明は、上記スピーカー装置１の構成に必ずしも限定されるものではなく、本発明の趣旨を逸脱しない範囲において種々の変更を加えることが可能である。
例えば、上記スピーカー装置１では、エンクロージャー３の一端（前端）側にスピーカーユニット２が取り付けられ、エンクロージャー３の他端（後端）側にバスレフポート４が取り付けられた構成となっているが、エンクロージャー３の他端（後端）側には、スピーカーユニット２以外の機能部品を取り付けた構成とすることが可能である。また、機能部品（他の部材）は、中間筐体１０に取り付けられた固定部材２４により固定することが可能である。
【００５２】
以下、本発明の第２〜第６の実施形態として、例えば図１０〜図１４に示すスピーカー装置１Ａ〜１Ｅについて具体的に説明する。なお、以下の説明では、上記スピーカー装置１と同等の部位については、説明を省略すると共に、図面において同じ符号を付すものとする。
【００５３】
（第２の実施形態）
次に、本発明の第２の実施形態として、例えば図１０に示すスピーカー装置１Ａについて説明する。なお、図１０は、スピーカー装置１Ａのエンクロージャー３にスピーカーユニット２及びパッシブラジエター３３が取り付けられた状態を示す断面図である。
【００５４】
本実施形態のスピーカー装置１Ａは、図１０に示すように、エンクロージャー３の他端（後端）側に、機能部品として、上記バスレフポート４の代わりに、パッシブラジエター３３が取り付けられた構成を有している。それ以外は、上記スピーカー装置１と基本的に同じ構成を有している。
【００５５】
具体的に、このパッシブラジエター３３は、スピーカーユニット２の背面側から放出される音響の振動（背圧）を駆動ユニットを持たない振動板（ドローンコーン）に伝えることによって、低音を増強させるものである。
【００５６】
パッシブラジエター３３は、その背面側をエンクロージャーの内側に向けた状態で、エンクロージャー３の他端側の開口部３ｂから内側に嵌め込まれた状態で、エンクロージャー３の中間筐体１０に取り付けられている。また、パッシブラジエター３３は、中間筐体１０に取り付けられた固定部材２４にネジ止めにより固定されている。
【００５７】
以上のような構成を有する本実施形態のスピーカー装置１Ａでは、エンクロージャー３の他端（後端）側にパッシブラジエター３３を取り付けることによって、低音再生を強化することが可能である。さらに、エンクロージャー３に本実施形態の真空二重構造体３Ａを採用することで、上記スピーカー装置１と同様の効果を得ることが可能である。
【００５８】
また、本実施形態のスピーカー装置１Ａでは、エンクロージャー３の中間筐体１０にパッシブラジエター３３を簡便に取り付けることができ、この中間筐体１０に取り付けられた固定部材２４を介してパッシブラジエター３３を適切に固定することが可能である。
【００５９】
（第３の実施形態）
次に、本発明の第３の実施形態として、例えば図１１に示すスピーカー装置１Ｂについて説明する。なお、図１１は、スピーカー装置１Ｂのエンクロージャー３にスピーカーユニット２及びツイーター３４が取り付けられた状態を示す断面図である。
【００６０】
本実施形態のスピーカー装置１Ｂは、図１１に示すように、エンクロージャー３の他端（後端）側に、機能部品として、上記バスレフポート４の代わりに、ツイーター３４が取り付けられた構成を有している。それ以外は、上記スピーカー装置１と基本的に同じ構成を有している。
【００６１】
具体的に、このツイーター３４は、スピーカーユニット２よりも高音を発するスピーカーユニットである。ツイーター３４は、その背面側をエンクロージャー３の内側に向けた状態で、エンクロージャー３の他端側の開口部３ｂから内側に嵌め込まれた状態で、エンクロージャー３の中間筐体１０に取り付けられている。また、ツイーター３４は、中間筐体１０に取り付けられた固定部材２４にネジ止めにより固定されている。
【００６２】
以上のような構成を有する本実施形態のスピーカー装置１Ｂでは、エンクロージャー３の他端（後端）側にツイーター３４を取り付けることによって、高音再生を強化することが可能である。また、エンクロージャー３に本実施形態の真空二重構造体３Ａを採用することで、上記スピーカー装置１と同様の効果を得ることが可能である。
【００６３】
また、本実施形態のスピーカー装置１Ｂでは、エンクロージャー３の中間筐体１０にツイーター３４を簡便に取り付けることができ、この中間筐体１０に取り付けられた固定部材２４を介してツイーター３４を適切に固定することが可能である。
【００６４】
（第４の実施形態）
次に、本発明の第４の実施形態として、例えば図１２に示すスピーカー装置１Ｃについて説明する。なお、図１２は、スピーカー装置１Ｃのエンクロージャー３にスピーカーユニット２及び配線取付部材３５が取り付けられた状態を示す断面図である。
【００６５】
本実施形態のスピーカー装置１Ｃは、図１２に示すように、エンクロージャー３の他端（後端）側に、機能部品として、上記バスレフポート４の代わりに、配線取付部材３５が取り付けられた構成を有している。それ以外は、上記スピーカー装置１と基本的に同じ構成を有している。
【００６６】
具体的に、この配線取付部材３５は、スピーカーユニット２と接続された配線コード３６をエンクロージャー３の他端（後端）側から外部へと引き回すためのものである。配線取付部材３５は、配線コード３６を保持した状態で、エンクロージャー３の他端側の開口部３ｂから内側に嵌め込まれた状態で、エンクロージャー３の中間筐体１０に取り付けられている。また、配線取付部材３５は、中間筐体１０に取り付けられた固定部材２４にネジ止めにより固定されている。
【００６７】
以上のような構成を有する本実施形態のスピーカー装置１Ｃでは、エンクロージャー３の他端（後端）側に配線取付部材３５を取り付けることによって、配線コード３６をエンクロージャー３の他端（後端）側から外部へと引き回すことが可能である。また、エンクロージャー３に本実施形態の真空二重構造体３Ａを採用することで、上記スピーカー装置１と同様の効果を得ることが可能である。
【００６８】
また、本実施形態のスピーカー装置１Ｃでは、エンクロージャー３の中間筐体１０に配線取付部材３５を簡便に取り付けることができ、この中間筐体１０に取り付けられた固定部材２４を介して配線取付部材３５を適切に固定することが可能である。
【００６９】
（第５の実施形態）
次に、本発明の第５の実施形態として、例えば図１３に示すスピーカー装置１Ｄについて説明する。なお、図１３は、スピーカー装置１Ｄのエンクロージャー３がブラケット３７を介して壁面Ｈに取り付けられた状態を示す断面図である。
【００７０】
スピーカー装置１Ｄは、図１３に示すように、エンクロージャー３の中間筐体１０が取り付けられた側を一端（前端）側として、このエンクロージャー３の一端（前端）側にスピーカーユニット２が取り付けられ、エンクロージャー３の他端（後端）側にバスレフポート４が取り付けられた構成となっている。
【００７１】
スピーカーユニット２は、その背面側をエンクロージャーの内側に向けた状態で、エンクロージャー３の一端側の開口部３ｂから内側に嵌め込まれた状態で、エンクロージャー３の中間筐体１０に取り付けられている。スピーカーユニット２は、中間筐体１０に取り付けられた固定部材２４にネジ止めにより固定されている。
【００７２】
バスレフポート４は、エンクロージャー３の他端（後端）側から内側にポート部４ａが嵌め込まれた状態で、エンクロージャー３に対して螺合により取り付けられている。このため、バスレフポート４の外周面には、雌ネジ部２２と螺合される雄ネジ部４ｄが設けられている。
【００７３】
また、本実施形態のスピーカー装置１Ｄは、中間筐体１０に取り付けられたブラケット（他の部材）３７を介してエンクロージャー３が壁面Ｈに取り付けられた構成となっている。ブラケット３７は、中間筐体１０の底壁部１０ｃに溶接により取り付けられている。
【００７４】
ブラケット３７は、スピーカーユニット２の前面を外部に臨ませる円形状の開口部３７ａと、この開口部３７ａの周囲に並んで設けられた複数の孔部（図示せず。）とを有している。エンクロージャー３は、各孔部を通して壁面Ｈを貫通するボルト３８にナット（図示せず。）を締結することによって、開口部３７ａに合わせて開口した壁面Ｈに取り付けられている。
【００７５】
以上のような構成を有する本実施形態のスピーカー装置１Ｄでは、台座部６を省略し、壁面Ｈに取り付けて使用することが可能である。また、エンクロージャー３に本実施形態の真空二重構造体３Ａを採用することで、上記スピーカー装置１と同様の効果を得ることが可能である。
【００７６】
（第６の実施形態）
次に、本発明の第６の実施形態として、例えば図１４に示すスピーカー装置１Ｅについて説明する。なお、図１４は、スピーカー装置１Ｄのエンクロージャー３がブラケット３７を介して壁面Ｈに取り付けられた状態を示す断面図である。
【００７７】
スピーカー装置１Ｅは、図１４に示すように、バスレフポート４を省略し、エンクロージャー３の中間筐体１０が取り付けられた側を一端（前端）側として、このエンクロージャー３の他端（後端）側にスピーカーユニット２が取り付けられた構成となっている。
【００７８】
スピーカーユニット２は、その前面側をエンクロージャー３の内側に向けた状態で、エンクロージャー３の後端側の開口部３ａから内側に嵌め込まれた状態で、エンクロージャー３に螺合により取り付けられている。
【００７９】
また、本実施形態のスピーカー装置１Ｅは、中間筐体１０に取り付けられたブラケット（他の部材）３７を介してエンクロージャー３が壁面Ｈに取り付けられた構成となっている。なお、壁面Ｈへの取り付け方は、上記図１３に示すスピーカー装置１Ｄと同じであるため、その説明を省略するものとする。
【００８０】
以上のような構成を有する本実施形態のスピーカー装置１Ｅでは、台座部６を省略し、壁面Ｈに取り付けて使用することが可能である。また、エンクロージャー３に本実施形態の真空二重構造体３Ａを採用することで、上記スピーカー装置１と同様の効果を得ることが可能である。
【符号の説明】
【００８１】
１，１Ａ〜１Ｅ…スピーカー装置  ２…スピーカーユニット  ３…エンクロージャー  ３Ａ…真空二重構造体  ４…バスレフポート（機能部品）  ４ａ…ポート部  ５…ヒンジ部  ６…台座部  ７…ネット  ８…外筐体  ９…内筐体  １０…中間筐体  １１…真空層  １２…脱気孔  １３…第１の接合端部  １４…第２の接合端部  １５…第３の接合端部  １６…ラジアルギャップ部  １７…保持部材  １８…第１のシール部材  １９…第２のシール部材  ２０…押さえ部材  ２１…雄ネジ部  ２２…雌ネジ部  ２３…張出部  ２４…固定部材  ２５…ビス  ２６…アナログ入力端子  ２７…電源スイッチ  ２８…電源ランプ  ２９…ボリュームスイッチ  ３０…アナログ出力端子  ３１…ＡＣ入力端子  ３２…外部入力端子  ３３…パッシブラジエター（機能部品）  ３４…ツイーター（機能部品）  ３５…配線取付部材（機能部品）  ３６…配線コード  ３７…ブラケット（他の部材）
【図１】
2019009737.tif 000003
【図２】
2019009737.tif 000004
【図３】
2019009737.tif 000005
【図４】
2019009737.tif 000006
【図５】
2019009737.tif 000007
【図６】
2019009737.tif 000008
【図７】
2019009737.tif 000009
【図８】
2019009737.tif 000010
【図９】
2019009737.tif 000011
【図１０】
2019009737.tif 000012
【図１１】
2019009737.tif 000013
【図１２】
2019009737.tif 000014
【図１３】
2019009737.tif 000015
【図１４】
2019009737.tif 000016